(57)【要約】【目的】液晶駆動電圧のバラツキによる個々の見え方の差を無くして安定した見映えの表示を実現することができる画像記録装置を提供すること。【構成】液晶を備えた表示部において、液晶駆動電圧を検知する液晶駆動電圧検知手段と液晶駆動電圧とコントラストレベルの対応情報と、検知した液晶駆動電圧と該対応情報とを比較する比較手段と、コントラストレベル情報を保存しておくコントラストレベル保存手段とを設け、該コントラストレベルによってコントラストを可変する。その一形態として、一定の周期で液晶駆動電圧を検知してコントラストを可変する。【選択図】      図１
2004334019.tif 000002
【特許請求の範囲】
【請求項１】
液晶を備えた表示部において、液晶駆動電圧を検知する液晶駆動電圧検知手段と液晶駆動電圧とコントラストレベルの対応情報と、検知した液晶駆動電圧と該対応情報とを比較する比較手段と、コントラストレベル情報を保存しておくコントラストレベル保存手段とを設け、該コントラストレベルによってコントラストを可変することを特徴とする画像記録装置。
【請求項２】
一定の周期で液晶駆動電圧を検知してコントラストを可変することを特徴とする請求項１記載の画像記録装置。
【発明の詳細な説明】
【０００１】
【発明の属する技術分野】
本発明は、表示部を備えた画像記録装置におけるコントラスト調整制御に関するものである。
【０００２】
【従来の技術】
この種のプリンター等の画像記録装置においては、液晶を備えた表示部が備えられており、液晶を表示させるときにはコントラスト濃度を決めるコントラスト調整信号（コマンド信号等）によって表示制御を行っている。
【０００３】
又、このコントラスト調整信号は予め決められた設定値で制御を行っている。尚、液晶ディスプレイの温度補正のマッチングやディスプレイの個別ばらつきによるコントラスト比のむらを無くし、常に、明点及び暗点間のコントラスト比を一定値以上に維持制御することができるコントラスト比調整装置が知られている（例えば、特許文献１参照）。
【０００４】
【特許文献１】
特開平８−９５００４号公報（第４−７項、第４図）
【発明が解決しようとする課題】
しかしながら、上述したように従来技術では表示部の液晶に表示させる際にはコントラスト調整信号（コマンド信号等）の設定を予め決められた一定値で設定しているために液晶の製造上バラツキがある場合には液晶駆動電圧もばらつく場合がある。
【０００５】
又、この液晶駆動電圧のバラツキによって濃く見えたり、或は薄く見えたりといった液晶の見え方もばらついてしまい、見づらくなる場合がある、という問題があった。
【０００６】
本発明は上記問題に鑑みてなされたもので、その目的とする処は、液晶駆動電圧のバラツキによる個々の見え方の差を無くして安定した見映えの表示を実現することができる画像記録装置を提供することにある。
【０００７】
【課題を解決するための手段】
上記目的を達成するため、請求項１記載の発明は、液晶を備えた表示部において、液晶駆動電圧を検知する液晶駆動電圧検知手段と液晶駆動電圧とコントラストレベルの対応情報と、検知した液晶駆動電圧と該対応情報とを比較する比較手段と、コントラストレベル情報を保存しておくコントラストレベル保存手段とを設け、該コントラストレベルによってコントラストを可変することを特徴とする。
【０００８】
請求項２記載の発明は、請求項１記載の発明において、一定の周期で液晶駆動電圧を検知してコントラストを可変することを特徴とする。
【０００９】
【発明の実施の形態】
以下に本発明の実施の形態を図面に基づいて説明する。
【００１０】
＜実施の形態１＞
図１は電子写真プロセスを用いた画像記録装置の概略構成図であり、例えばレーザビームプリンタの場合を示している。
【００１１】
レーザビームプリンタ本体１０１（以下、本体１０１）は、記録紙Ｓを収納するカセット１０２を有し、カセット１０２の記録紙Ｓの有無を検知するカセット有無センサ１０３、カセット１０２の記録紙Ｓのサイズを検知するカセットサイズセンサ１０４（複数個のマイクロスイッチで構成される）、カセット１０２から記録紙Ｓを繰り出す給紙ローラ１０５等が設けられている。
【００１２】
そして、給紙ローラ１０５の下流には記録紙Ｓを同期搬送するレジストローラ対１０６が設けられている。又、レジストローラ対１０６の下流には、レーザスキャナ部１０７からのレーザ光に基づいて記録紙Ｓ上にトナー像を形成するカートリッジ１０８が設けられている。更に、カートリッジ１０８の下流には、記録紙Ｓ上に形成されたトナー像を熱定着する定着器１０９が設けられており、定着器１０９の下流には排紙部の搬送状態を検知する排紙センサ１１０、記録紙Ｓを排紙する排紙ローラ１１１、記録の完了した記録紙Ｓを積載する積載トレイ１１２が設けられている。
【００１３】
又、前記レーザスキャナ１０７は、後述する外部装置１３１から送出される画像信号（画像信号ＶＤＯ）に基づいて変調されたレーザ光を発光するレーザユニット１１３、このレーザユニット１１３からのレーザ光を後述する感光ドラム１１７上に走査するためのポリゴンモータ１１４、結像レンズ１１５、折り返しミラー１１６等により構成されている。
【００１４】
又、メインモータ１２３は、給紙ローラ１０５には給紙ローラクラッチ１２４を介して、レジストローラ対１０６にはレジストローラ１２５を介して駆動力を与えており、更に感光ドラム１１７を含むカートリッジ１０８の各ユニット、定着器１０９、排紙ローラ１１１にも駆動力を与えている。
【００１５】
そして、１２６はエンジンコントローラであり、レーザスキャナ部１０７、カートリッジ１０８、定着器１０９による電子写真プロセスの制御、前記本体１０１内の記録紙の搬送制御を行っている。
【００１６】
又、１２７はビデオコントローラであり、パーソナルコンピュータ等の外部装置１３１と汎用のインタフェース（セントロニクス、ＲＳ２３２Ｃ等）１３０で接続されており、この汎用インタフェースから送られてくる画像情報をビットデータに展開し、そのビットデータをＶＤＯ信号としてエンジンコントローラ１２６へ送出している。
【００１７】
そして、前記カートリッジ１０８内は、公知の電子写真プロセスに必要な感光ドラム１１７、１  次帯電ローラ１１９、現像器１２０、転写帯電ローラ１２１、クリーナ１２２から構成されている。
【００１８】
又、１４０は操作部でビデオコントローラ１２７に接続されており、ビデオコントローラ１２７からの情報によりプリンターの状況及び状態を示す。
【００１９】
図２は本体１０１の操作部１４０を示す。操作部１４０は液晶等による表示部１４０ａ、テンキー１４０ｂ１〜１４０ｂ３等で構成されている。
【００２０】
図３は操作部１４０の詳細を示す図である。
【００２１】
図３において、表示部１４０は液晶部１４０ｃ、液晶１４０ｃを駆動するための液晶ドライバＩＣ１４０ｄ、ＣＰＵ１２６ａを実装した基板１４０ｅにより構成されており、液晶ドライバＩＣ１４０ｄは、基板１４０ｅのＣＰＵ１２６ａに制限抵抗１５０ｂ１〜１５０ｂ５を介して接続されており、ＣＰＵ１２６ａにより所定の制御を行っている。又、テンキー１４０ｂ１〜１４０ｂ３は、各プルアップ抵抗１５１ｂ１〜１５１ｂ３を介してＶｄｃへ、制限抵抗１５２ｂ１〜１５２ｂ３を介してＣＰＵ２６ａに接続されており、テンキー１４０ｂ１〜１４０ｂ３が押されたかを検知している。
【００２２】
又、液晶ドライバＩＣ１４０ｄの電源Ｖｄｃ、ＧＮＤは基板１４０ｅから供給されている。
【００２３】
液晶ドライバＩＣ１４０ｄに接続されているＧＮＤラインには電流検出抵抗１５３が接続されており、液晶ドライバＩＣ１４０ｄに流れる電流を電流−電圧変換してアナログ電圧値をＣＰＵ１２６ａで検知することで液晶ドライバＩＣ１４０ｄに流れる電流を検知することができる。
【００２４】
ＣＰＵ１２６ａにはＲＯＭ１２６ｂ及びコンパレータ１２６ｃ、ＲＡＭ１２６ｄ、タイマー１２６ｅが内蔵されている。
【００２５】
又、液晶のコントラストは、ＣＰＵからの設定によって可変することができる（これを電子ボリュームと呼ぶ）。
【００２６】
ＲＯＭ１２６ｄには液晶ドライバＩＣ１４０ｄの電流値−コントラストレベルについてのテーブルがメモリされている。図４にこの内容を示す。このように薄い、標準、濃いといったレベル分けをしてそれぞれに応じた電子ボリュームの値（薄いＶＲ１、標準ＶＲ２、濃いＶＲ３）を設定することができる。
【００２７】
そして、電流検出抵抗１５３により検出した値とこのテーブルの値をコンパレータ１２６ｃで比較し、このレベルをＲＡＭ１２６ｄに保存する。
【００２８】
又、ＣＰＵ１２６ａは、ビデオコントローラ１２７と接続されており、ビデオコントローラ１２７からの信号ＣＬＫ信号、ＳＴＳ信号、ＣＭＤ信号、ＣＳ信号が制限抵抗１２６ｂ１〜１２６ｂ３によって制御を行っている。
【００２９】
このように操作部１４０は、ビデオコントローラ１２７から基板１４０ｅ内のＣＰＵ１２６ａへ所定の通信制御信号で、更にＣＰＵ１２６ａから液晶ドライバＩＣ１４０ｄへ所定の通信制御信号により、制御されている。
【００３０】
図５は本実施例を示すフローチャートである。
【００３１】
先ず、表示ＯＮ指示信号が来たか判断し（Ｓ１）、来ていれば電子ボリュームの値を初期値ＶＲｄｆで設定して表示し（Ｓ２）、Ｉ−Ｖ変換により電圧Ｖｓを検知し（Ｓ３）、Ｖｓ＜Ｖｔ１か判断し（Ｓ４）、そうであれば設定値ＶＲ１をＲＡＭ１２６ｄに保存して（Ｓ５）設定値をＶＲｄｆからＶＲ１に変更して表示を行う（Ｓ６）。
【００３２】
Ｓ４でそうでなければＶｔ１≦Ｖｓ≦Ｖｔ２か判断し（Ｓ７）、そうであれば設定値ＶＲ２をＲＡＭ１２６ｄに保存して（Ｓ８）設定値をＶＲｄｆからＶＲ２に変更して表示を行う（Ｓ９）。Ｓ４でそうでなければＶｓ＞Ｖｔ２と判断し、設定値ＶＲ３をＲＡＭ１２６ｄに保存して（Ｓ１０）設定値をＶＲｄｆからＶＲ２に変更して表示を行う（Ｓ１１）。
【００３３】
このような制御を行うことでコントラストをレベル分けして、レベルごとに最適なコントラストで表示させることができる。
【００３４】
＜実施の形態２＞
次に、本発明の実施の形態２について説明する。
【００３５】
本実施の形態は全体的な構成は実施の形態１と殆ど同じであるが、実施の形態１では液晶駆動電圧を液晶表示させるときのみに検知、調整してその後は一定の最適なコントラストになるように調整していたが、本実施の形態では或る周期ごとに電圧を検知してコントラストの調整を行うものである。
【００３６】
本実施の形態を図６に示すフローチャートに基づいて説明する。
【００３７】
先ず、表示ＯＮ指示信号が来たか判断し（Ｓ２１）、信号が来ればタイマー１２６ｅをスタートさせ（Ｓ２２）、電子ボリュームの値を初期値ＶＲｄｆで設定して表示し（Ｓ２３）、Ｉ−Ｖ変換により電圧Ｖｓを検知し（Ｓ２４）、Ｖｓ＜Ｖｔ１か判断し（Ｓ２５）、設定値をＶＲｄｆからＶＲ１に変更して表示を行い（Ｓ２６）、タイマー１２６ｅが予め決められた時間Ｔｏ  になったかどうか判断し（Ｓ２７）、時間ｔになればＳ２２へ戻り、Ｓ２５でそうなければＶｔ１≦Ｖｓ≦Ｖｔ２か判断し（Ｓ２８）、そうであれば設定値をＶＲｄｆからＶＲ２に変更して表示を行い（Ｓ２９）Ｓ２７へ進み、Ｓ２８でそうでなければＶｓ＞Ｖｔ２と判断し、設定値をＶＲｄｆからＶＲ２に変更して表示を行い（Ｓ３０）、Ｓ２７へ進む。
【００３８】
このように制御を行うことで、一定の周期ごとに最適なコントラストで表示させることができる。
【００３９】
【発明の効果】
以上の説明で明らかなように、本発明によれば、液晶駆動電圧を検知する液晶駆動電圧検知手段と液晶駆動電圧とコントラストレベルの対応情報と、検知した液晶駆動電圧と該対応情報とを比較する比較手段と、コントラストレベル情報を保存しておくコントラストレベル保存手段とを設け、該コントラストレベルによってコントラストを可変するようにしたため、液晶駆動電圧のバラツキによる個々の見え方の差がなくなり、安定した見映えの表示を提供することができるという効果が得られる。
【図面の簡単な説明】
【図１】本発明に係る画像記録装置の概略図である。
【図２】本発明に係る画像記録装置本体の操作部を示す図である。
【図３】本発明に係る画像記録装置の操作部の詳細図である。
【図４】本発明に係る画像記録装置におけるコントラストのテーブルを示す図である。
【図５】本発明の実施の形態１を示すフローチャートである。
【図６】本発明の実施の形態２を示すフローチャートである。
【符号の説明】
１０１    本体
１２６ａ  ＣＰＵ
１２６ｂ  ＲＯＭ
１２６ｃ  コンパレータ
１２６ｄ  ＲＡＭ
１２６ｅ  タイマー
１４０    本体の操作部
１４０ａ  表示部
１４０ｃ  液晶ユニット
１４０ｄ  液晶ドライバ
【図１】
2004334019.tif 000003
【図２】
2004334019.tif 000004
【図３】
2004334019.tif 000005
【図４】
2004334019.tif 000006
【図５】
2004334019.tif 000007
【図６】
2004334019.tif 000008